(57)【特許請求の範囲】
【請求項１】
一側枠と、他側枠と、一側枠と他側枠との間に取付ける格子体とを備え、格子体は、複数の格子材と、各格子材の一端を保持する一側保持部材と、各格子材の他端を保持する他側保持部材とを有し、一側枠と他側枠は共に内周側面が見込方向一方側に向けて傾斜しており、一側保持部材と他側保持部材は共に外周側面が見込方向他方側に向けて傾斜しており、格子体は一側枠の内周側面と一側保持部材の外周側面、他側枠の内周側面と他側保持部材の外周側面を当接させて固定するように、一側枠と他側枠との間に一方側から挿入されており、一側枠と他側枠との間で、一側保持部材と他側保持部材を反転させて取付自在であり且つ反転させて取付けたときに格子材の向きが異なることを特徴とするスクリーン。
【請求項２】
一側枠と、他側枠と、一側枠と他側枠との間に取付ける格子体とを備え、格子体は、複数の格子材と、各格子材の一端を保持する一側保持部材と、各格子材の他端を保持する他側保持部材とを有し、一側保持部材と他側保持部材の見込方向一方側には外周側に突出する枠固定部を有し、見込方向他方側には内周側に突出する格子材固定部を有し、枠固定部が一側枠と他側枠の一方側面に当接して固定してあり且つ格子材固定部に各格子材の他方側面が固定してあり、格子体は、一側枠と他側枠との間で、一側保持部材と他側保持部材を反転させて取付自在であり且つ反転させて取付けたときに格子材の向きが異なることを特徴とするスクリーン。
【請求項３】
請求項１又は２に記載のスクリーンを備えた建築構造体。
【発明の詳細な説明】
【技術分野】
【０００１】
本発明は、スクリーン及びそのスクリーンを備えるフェンスや間仕切り等の建築構造体に関する。
【背景技術】
【０００２】
非特許文献１には、一側枠と他側枠との間に複数の格子材を取り付けたスクリーンが開示されている。
この非特許文献１のスクリーンでは、同種のスクリーンを施工するときに、格子材の向きが定まっており、スクリーンの意匠を変えることができなかった。
【先行技術文献】
【非特許文献】
【０００３】
【非特許文献１】第５３５頁「エクステリア総合カタログ  ２０１１−２０１２」  カタログＮｏ．ＳＴＸ０５８０Ａ  三協立山アルミ株式会社  ２０１１年２月発行
【発明の概要】
【発明が解決しようとする課題】
【０００４】
しかし、同種のスクリーンでもスクリーンの意匠を変えたいという要求がある。
【０００５】
そこで、本発明は、同種のスクリーンで意匠を変更できるスクリーン及び建築構造体の提供を目的とする。
【課題を解決するための手段】
【０００６】
請求項１に記載の発明は、一側枠と、他側枠と、一側枠と他側枠との間に取付ける格子体とを備え、格子体は、複数の格子材と、各格子材の一端を保持する一側保持部材と、各格子材の他端を保持する他側保持部材とを有し、一側枠と他側枠は共に内周側面が見込方向一方側に向けて傾斜しており、一側保持部材と他側保持部材は共に外周側面が見込方向他方側に向けて傾斜しており、格子体は一側枠の内周側面と一側保持部材の外周側面、他側枠の内周側面と他側保持部材の外周側面を当接させて固定するように、一側枠と他側枠との間に一方側から挿入されており、一側枠と他側枠との間で、一側保持部材と他側保持部材を反転させて取付自在であり且つ反転させて取付けたときに格子材の向きが異なることを特徴とするスクリーンである。
格子材の向きには、格子材の傾斜角度の向きや格子材の開口の向きがある。
請求項２に記載の発明は、一側枠と、他側枠と、一側枠と他側枠との間に取付ける格子体とを備え、格子体は、複数の格子材と、各格子材の一端を保持する一側保持部材と、各格子材の他端を保持する他側保持部材とを有し、一側保持部材と他側保持部材の見込方向一方側には外周側に突出する枠固定部を有し、見込方向他方側には内周側に突出する格子材固定部を有し、枠固定部が一側枠と他側枠の一方側面に当接して固定してあり且つ格子材固定部に各格子材の他方側面が固定してあり、格子体は、一側枠と他側枠との間で、一側保持部材と他側保持部材を反転させて取付自在であり且つ反転させて取付けたときに格子材の向きが異なることを特徴とするスクリーンである。
【０００７】
請求項３に記載の発明は、請求項１又は２に記載のスクリーンを備えることを特徴とする建築構造体である。
建築構造体には、フェンス、間仕切り、ファサードゲート、階段、シェルター、テラス等を含む。
【発明の効果】
【０００８】
請求項１に記載の本発明によれば、一側枠と他側枠とに対して、格子体の取付けを一側保持部材と他側保持部材を反転させて取付けることで、異なる意匠にすることができる。
【０００９】
請求項２に記載の発明によれば、請求項１に記載の効果を奏する建築構造体を提供できる。
【図面の簡単な説明】
【００１０】
【図１】本発明の実施の形態にかかる建築構造体の図であり、（ａ）は図３に示すＡ−Ａ断面図であり、（ｂ）は（ａ）に示すＣ部の拡大図である。
【図２】本発明の実施の形態にかかる建築構造体の図であり、図３に示すＢ−Ｂ断面図である。
【図３】本発明の実施の形態にかかる建築構造体の正面図である。
【図４】本実施の形態の変形例にかかる建築構造体を図２に示すＢ−Ｂ断面と同じ位置で切断して示す断面図であり、（ａ）は第１変形例の図であり、（ｂ）は第２変形例の図である。
【図５】本実施の形態の変形例にかかる格子体の横断面を概略的に示した図であり、（ａ）は第３変形例の図であり、（ｂ）は第４変形例の図であり、（ｃ）は第５変形例の図である。
【発明を実施するための形態】
【００１１】
以下に、図１〜図３を参照して、本発明の実施の形態を詳細に説明する。本実施の形態に係る建築構造体１は、図３に示すように、フェンスであり、左右の支柱３ａ、３ｂと、支柱３ａ、３ｂの上端に架設した桁５とを備え、支柱３ａ、３ｂにおいて桁５の下にスクリーン９が設けてある。
図１に示すように、スクリーン９は、上側にある一側枠１１と、下側にある他側枠１３と、一側枠１１と他側枠１３との間に取り付けた格子体１５を備えている。
格子体１５は、複数の格子材１７と、各格子材１７の一端（上端）１７ａを保持する一側保持部材１９と、各格子材１７の他端（下端）１７ｂを保持する他側保持部材２１とを有している。
一側枠１１は、一側保持部材１９の外周側面１９ｄが当接する内周側面１１ａと、一側保持部材をねじ２３で取付ける一方側見付け面１１ｂとを有する本体部１２と、本体部１２から見込み方向他方側で内周側に突設した他方側見付け面部１１ｃと備えている。本体部１２の中空部にはタッピングホール２５が形成されている。他方側見付け面部１１ｃには見込み方向一方側に開口した溝３５が形成されている。
他側枠１３は一側枠１１と略同じ形状であり、他側保持部材２１の外周側面２１ｄが当接する内周側面１３ａと、他側保持部材２１をねじ２３で取付ける一方側見付け面１３ｂとを有する本体部１４と、本体部１４から内周側に突設した他方側見付け面部１３ｃとを備えている。本体部１４の中空部にはタッピングホール２９が形成されている。他方側見付け面部１３ｃには見込み方向一方側に開口した溝３７が形成されている。
【００１２】
格子体１５において、一側保持部材１９は、格子材１７の一端を受ける格子材受け部１９ａと、一側枠１１にねじ２３で固定する枠固定部１９ｂと、格子材１７をねじ２７で固定する格子材固定部１９ｃとを有している。格子材受け部１９ａの外周側面１９ｄと一側枠１１の内周側面１１ａとは互いに面で当接している。枠固定部１９ｂは一側枠１１の一方側見付け面１１ｂに重ねてねじ２３で固定している。枠固定部１９ｂには係合部３９が形成されており、この係合部３９に目板４１が係合してある。格子材固定部１９ｃは、一側枠１１の他方側見付け面部１１ｃの溝３５内に配置してある。
他側保持部材２１は、一側保持部材１９と同じ構成であり、格子材１７の他端１７ｂを受ける格子材受け部２１ａと、他側枠１３にねじ２３で固定する枠固定部２１ｂと、格子材２１をねじ２７で固定する格子材固定部２１ｃとを有している。格子材受け部２１ａの外周側面２１ｄと他側枠１３の内周側面１３ａは互いに面で当接している。枠固定部２１ｂは他側枠２１の一方側見付け面２１ｂに重ねてねじ２３で固定している。枠固定部２１ｂには係合部３９が形成されており、この係合部３９に目板４１が係合してある。格子材固定部２１ｃは、他側枠１３の他方側見付け面部１３ｃの溝３７内に配置している。
【００１３】
格子材１７は、縦格子であり、図２に示すように、横断面が平行四辺形を成す中空形材である。格子材１７は所定の「向き」を有し、本実施の形態における格子材１７の向きは見込み面１７ａの傾斜である。即ち、隣合う形材１７、１７の対向する見込み面１７ａ、１７ａ間には、見込み方向一方側から他方側を斜めに目通しする隙間Ｓが形成されており、図２において道路側から見たときにこの隙間Ｓは右側から左側へ斜めに目通しする隙間になっている。
【００１４】
図１に示すように、一側枠１１の内周側面１１ａと他側枠１３内周側面１３ａと、一側保持部材１９の外周側面１９ｄと他側保持部材２１の外周側面２１ｄは、内周側面間１１ａ、１３ａ又は外周側面間１９ｄ、２１ｄの中央で引いた仮想直線Ｔを基準にした線対称形状を成している。
また、一側枠１１の内周側面１１ａ、他側枠１３内周側面１３ａ、一側保持部材１９の外周側面１９ｄ及び他側保持部材２１の外周側面２１ｄは見込み方向一方側から他方側に傾斜する傾斜面になっており、見込み方向一方側における内周側面間１１ａ、１３ａ及び外周側面間１９ｄ、２１ｄ間の寸法Ｗ１が、見込み方向他方側における内周側面間１１ａ、１３ａ及び外周側面間１９ｄ、２１ｄの寸法Ｗ２よりも大きくしてある。
【００１５】
図２に示すように、一側枠１１と他側枠１３には、各々タッピングホール２５に止めるねじ４３で左右の竪枠４５、４５が固定してあり、竪枠４５、４５は各々左右の柱３ａ、３ｂの対向する見込み面に固定した補助板４７にねじ４９で固定して、ねじ４９は竪枠に係合した目板５１で隠してある。
尚、図３に示す符号３１は格子体１５を支持する束である。
【００１６】
次に、本実施の形態にかかる建築構造体の施工及び作用効果について説明する。
建築構造体１の施工は、まず、格子体１５を組立てる。格子体１５は一側保持部材１９の格子材受け部１９ａに格子材１７の一端１７ａを当て、格子材固定部１９ｃにねじ２７で格子材１７を固定し、他側保持部材２１の格子材受け部２１ａに格子材１７の他端１７ｂを当て、格子材固定部２１ｃにねじ２７で格子材１７を固定する。格子材１７は図２に示すように全て同じ向きで固定する。
一方、一側枠１１及び他側枠１３の両端面に各々の竪枠４５を配置して、一側枠１１と他側枠１３のタッピングホール２５、２９にねじ４３で左右の竪枠４５、４５を固定して枠組する。
また、左右の各柱３ａ、３ｂの対向する見込み面に補助材４７をねじ固定し、枠組した竪枠４５を補助材４７に係合すると共にねじ４９で補助材４７と各柱３ａ、３ｂに固定する。尚、ねじ４９は竪枠４５に係合する目板５１で隠す。
次に、柱３ａ、３ｂ間で一側枠１１、他側枠１３及び左右の竪枠４５を枠組した枠内に格子体１５を見付け方向一方側から他方側に向けて挿入する。そして、一側枠１１の内周側面１１ａに一側保持部材１９の外周側面１９ｄを当接し、一側保持部材１９の格子材固定部１９ｃを一側枠１１の他方側見付け面部１１ｃの溝３５内に配置して枠固定部１９ｂを一側枠１１の一方側見付け面１１ｂにねじ２３で固定する。
同様にして、他側枠１３の内周側面１３ａに他側保持部材２１の外周側面２１ｄを当て、他側保持部材２１の格子材固定部２１ｃを他側枠１３の他方側見付け面部１３ｃの溝３７内に配置して、枠固定部２１ｂを他側枠１３の一方側見付け面１３ｂにねじ２３で固定する。尚、一側保持部材１９の係合部３９と他側保持部材２１の係合部３９に各々目板４１を係合して、各ねじ２３を隠す。
これによりスクリーン９の組立てが終了する。
【００１７】
次に、同種のスクリーン９において意匠を変更する場合について説明する。一側枠１１と他側枠１３と左右の竪枠４５を枠組して支柱３ａ、３ｂ間に固定した枠に対して、格子体１５の一側保持部材１９と他側保持部材２１を上下反転させて、一側保持部材１９を下にし、他側保持部材２１を上にして、一側枠１１と他側枠１３との間に格子体１５を見付け方向一方側から他方側に向けて挿入する。
そして、一側枠１１の内周側面１１ａに他側保持部材２１の外周側面２１ｄを当接し、他側保持部材２１の格子材固定部２１ｃを一側枠１１の他方側見付け面部１１ｃの溝３５内に配置して枠固定部２１ｂを一側枠１１の一方側見付け面１１ｂにねじ２３で固定する。
同様にして、他側枠１３の内周側面１３ａに一側保持部材１９の外周側面１９ｄを当て、一側保持部材１９の格子材固定部１９ｃを他側枠１３の他方側見付け面部１３ｃの溝３７内に配置して、枠固定部１９ｂを他側枠１３の一方側見付け面１３ｂにねじ２３で固定する。
スクリーン９と左右の柱３ａ、３ｂとの固定は上述した通りである。
このように格子体１５の上下を反転させたスクリーン９によれば、図２に二点鎖線で示すように、格子材１５の向きを異なる方向にした意匠にすることができる。
【００１８】
本実施の形態によれば、一側枠１１と他側枠１３とに対して、格子体１５の取付けを一側保持部材１９と他側保持部材２１を反転させて取付けることで、異なる意匠にすることができる。
【００１９】
一側枠１１の内周側面１１ａ及び他側枠１３内周側面１３ａ、一側保持部材１９の外周側面１９ｄ及び他側保持部材２１の外周側面２１ｄは、内周側面間１１ａ、１３ａ又は外周側面間１９ｄ、２１ｄの中央で引いた仮想直線Ｔを基準にした線対称形状を成している。これにより、一側保持部材１９と他側保持部材２１を反転させて格子体１５を一側枠１１と他側枠１３に取付けた場合に、一側枠１１の内周側面１１ａと他側枠１３内周側面１３ａとのいずれにも、一側保持部材１９及び他側保持部材２１の外周面を面で当接して取付けできるので、安定に固定できる。
また、見込み方向一方側における内周側面間１１ａ、１３ａ及び外周側面間１９ｄ、２１ｄ間の寸法Ｗ１が、見込み方向他方側における内周側面間１１ａ、１３ａ及び外周側面間１９ｄ、２１ｄ間の寸法Ｗ２よりも大きくしてあるので、格子体１５を一側枠１１と他側枠１３に取付けるときに、一側枠１１と他側枠１３に対する枠格子体１５の外周面１９ｄ、２１ｄが位置決めでき、施工が容易にできる。
一側枠１１と他側枠１３には、各々他方側見付け面部１１ｃ、１３ｃに溝３５、３７を設けているので、格子材１７と一側保持部材１９と他側保持部材２１とを固定するねじ２７を簡単に隠すことができる。
一側枠１１、他側枠１３及び左右の竪枠４５は枠組して柱３ａ、３ｂに固定してあり、枠組した枠内に格子体１５を挿入して施工するので、格子体１５には枠１１、１３、４５を取り付けていないから、格子体１５が軽量であり、取り扱い易いから施工が容易にできる。
【００２０】
本発明は、上述した実施の形態に限らず、本発明の要旨を逸脱しない範囲で種々変形可能である。
例えば、格子体１５における格子材１７の配置は、図４（ａ）に第１変形例を示すように、左右の領域５３、５５で格子材１７の向きを異ならせたものでも良いし、図４（ｂ）に第２変形例を示すように、格子材１７の向きを左右３つの領域５３、５５、５７で異ならせたものであっても良い。
また、格子材１７の形状は、図５（ａ）に第３変形例を示すように、三角形状にして左右の領域５３、５５で異なる向きにしても良いし、図５（ｂ）に第４変形例を示すように、一方側及び他方側の見付け面に開口する溝６０を有する形状であって且つ左右の領域５３、５５で向きを変えているものでも良いし、図５（ｃ）に第５変形例を示すように、格子材１７を円弧形状として他方側の見付け面で左右方向斜めに開口する溝６２を形成したものでも良く、格子材１７は上下反転したときに、傾きや開口の向きを変えるものであれば良い。
建築構造体１は、フェンスに限らず、間仕切り、ファサードゲート、階段、シェルター、テラスであってもよく、格子材によるスクリーンを備えるものであれば良い。
一側枠１１及び一側保持部材１９と、他側枠１３及び他側保持部材２１とは、上下に限らず、左右方向に配置して格子材１７を横格子とするものであってもよく、配置する方向は限定されない。
一側保持部材１９の外周側面１９ｄと他側保持部材２１の外周側面２１ｄのみが、外周側面間１９ｄ、２１ｄの中央で引いた仮想直線Ｔを基準にした線対称形状を成していても良い。即ち、一側保持部材１９の外周側面１９ｄ及び一側枠１１の内周側面１１ａ、他側保持部材２１の外周側面２１ｄ及び他側枠１３内周側面１３ａは、同一形状としていなくても良い。
【符号の説明】
【００２１】
１    建築構造体
９    スクリーン
１１  一側枠
１３  他側枠
１５  格子体
１７  格子材
１７ａ  一端
１７ｂ  他端
１９  一側保持部材
２１  他側保持部材
【図１】
0005901313.tif 000002
【図２】
0005901313.tif 000003
【図３】
0005901313.tif 000004
【図４】
0005901313.tif 000005
【図５】
0005901313.tif 000006